(57)【要約】【課題】上向きで長時間安静にしている人の腰部に痛みなどが生じることを防止することに役立つ医療用の器具を提供する。【解決手段】長手方向に延びるベルト部材の両端部に、それぞれ前記長手方向に所定の長さを有する係合手段が配備されていると共に、前記係合手段を係合させてベルト部材を輪状にしたときのベルト部材の中央部側における外周側になる面に、ＪＩＳ  Ｋ６４００（１９９７）に従って測定される反発弾性率が２０％以下である低反発弾性のクッション材を取り付けてなる医療用腰枕。【選択図】図１
0003121005.tif 000002
【実用新案登録請求の範囲】
【請求項１】
長手方向に延びるベルト部材の両端部に、それぞれ前記長手方向に所定の長さを有する係合手段が配備されていると共に、前記両端部の係合手段を係合させて当該ベルト部材を輪状にしたときの当該ベルト部材の中央部側における外周側になる面に、当該ベルト部材の長手方向に沿って延びる直方体形状の、ＪＩＳ  Ｋ６４００（１９９７）に従って測定される反発弾性率が２０％以下である低反発弾性のクッション材を取り付けてなる医療用腰枕。
【考案の詳細な説明】
【技術分野】
【０００１】  この考案は、上向きで長時間安静にしている必要のある人などが、その腰に装着することにより、腰痛の防止、緩和に役立てることのできる医療用器具に関する。
【背景技術】
【０００２】  従来から、指圧機能及び就寝時の姿勢矯正や腰部保護の機能を備えた腹巻きなどが提案されている（例えば、特許文献１）。これは、両端に取着部材を有するベルト部材に枕状弾性腰パッド部材を着脱自在に構成し、ベルト部材による腹巻としての使用と、枕状弾性腰パッド部材の指圧部材としての使用のほか、枕状弾性腰パッド部材をベルト部材に取着した状態での就寝姿勢の矯正や腰部保護としても使用することを目的としたものであった。
【特許文献１】  特開平９−２２４９６６号公報
【考案の開示】
【考案が解決しようとする課題】
【０００３】  病院に入院中の患者や、病院などで治療を受ける患者の場合、上向きで長時間安静にしている必要が生じることがある。例えば、手術後、ベッドに横たわっている患者や、人工透析を行うためにベッドに横たわっている患者などは、上向きで長時間安静にしている必要がる。
このような場合には、腰部に痛みなどを感じるようになることがある。
このような場合に、腰部に痛みなどが生じることを防止する目的で、前述した従来技術にあるような指圧機能及び就寝時の姿勢矯正や腰部保護の機能を備えた腹巻きを装着することが考えられる。
しかし、前述した従来の指圧機能及び就寝時の姿勢矯正や腰部保護の機能を備えた腹巻きは、指圧機能を発揮することを目的にしているため、これに適するべく、枕状弾性腰パッド部材が所定の強さの反発弾性力を有している。そこで、上向きで長時間安静にしている人が、その腰部に前述した従来の指圧機能及び就寝時の姿勢矯正や腰部保護の機能を備えた腹巻きを装着しておくと、枕状弾性腰パッド部材が有する所定の強さの反発弾性力のために、かえって、腰部に痛みなどを感じるようになってしまう。【０００４】  そこで、本考案は、上向きで長時間安静にしている人、例えば、手術後、ベッドに横たわっている患者や、人工透析を行うためにベッドに長時間にわたって横たわっている患者などが、このように長時間にわたって、上向きでベッドに横たわっていても、腰部に装着して、腰部に痛みなどが生じることを防止することに役立つ医療用の器具を提供することを目的にしている。
【課題を解決するための手段】
【０００５】  前記目的を解決するため、この考案は、長手方向に延びるベルト部材の両端部に、それぞれ前記長手方向に所定の長さを有する係合手段が配備されていると共に、前記両端部の係合手段を係合させて当該ベルト部材を輪状にしたときの当該ベルト部材の中央部側における外周側になる面に、当該ベルト部材の長手方向に沿って延びる直方体形状の、ＪＩＳ  Ｋ６４００（１９９７）に従って測定される反発弾性率が２０％以下である低反発弾性のクッション材を取り付けてなる医療用腰枕を提案するものである。【０００６】  上向きでベッドなどに横たわり、長時間安静にする際に、前記ベルト部材の両端部の係合手段を人体の腹部側において係合させて前記ベルト部材を輪状にし、前記低反発弾性のクッション材がベルト部材に取り付けられている位置が、人体の背中側において、骨盤の上にある背骨の湾曲部に対応する位置になるようして、本考案の医療用腰枕を人体に装着していると、ＪＩＳ  Ｋ６４００（１９９７）に従って測定される反発弾性率が２０％以下である低反発弾性のクッション材を使用していることにより、人体の圧力をより均一に分散させ、腰痛などが発生することを効果的に防止できる。【０００７】  なお、ＪＩＳ  Ｋ６４００（１９９７）に従って測定される反発弾性率が２０％以下である低反発弾性のクッション材としては、例えば、特開２００５−２２５９７４号公報で提案されているような低反発弾性クッションを採用することができる。【０００８】  前述した本考案の医療用腰枕においては、長手方向に延びるベルト部材の両端部に、それぞれ前記長手方向に所定の長さを有する係合手段が配備されているので、ベルト部材の両端部に配備されている係合手段（例えば、面ファスナー）を互いに係合させる前記ベルト部材の長手方向位置をずらして調整することにより、ベルト部材の両端部の係合手段を係合させて当該ベルト部材を輪状にしたときの周の長さ（ベルト部材の両端部の係合手段を係合させて当該ベルト部材を輪状にしたときの径の大きさ）を任意に調整することができる。
【考案の効果】
【０００９】  本考案によれば、上向きでベッドなどに横たわっている人の骨盤の上にある背骨の湾曲部と、ベッドなどの表面（上面）との間に、ＪＩＳ  Ｋ６４００（１９９７）に従って測定される反発弾性率が２０％以下である低反発弾性のクッション材が介装されることになるので、人体の圧力をより均一に分散させ、腰痛などが発生することを効果的に防止できる。【００１０】  すなわち、本考案によれば、上向きで長時間安静にしている人、例えば、手術後、ベッドに横たわっている患者や、人工透析を行うためにベッドに長時間にわたって横たわっている患者などが、このように長時間にわたって、上向きでベッドに横たわっていても、腰部に装着して、腰部に痛みなどが生じることを防止することに役立つ医療用の器具を提供することができる。
【考案を実施するための最良の形態】
【００１１】  以下、添付図面を参照して本考案の好ましい実施形態を説明する。【００１２】  本考案の医療用腰枕１においては、図１（ａ）図示のように、長手方向に延びるベルト部材２の両端部に、それぞれ長手方向に所定の長さを有する係合手段が配備されている。図示の実施形態では、ベルト部材２の符号２ａで示される側の端部に係合手段としての面ファスナー４ａが、符号２ｂで示される側の端部に係合手段としての面ファスナー４ｂが配備されている。面ファスナー４ａ、面ファスナー４ｂは、図示のように、ベルト部材２が延びる長手方向において所定の長さを有している。面ファスナー４ａ、面ファスナー４ｂの長手方向に延びる長さが長ければ、ベルト部材２の両端部に配備されている面ファスナー４ａ、４ｂを互いに係合させる長手方向位置をずらして調整することにより、ベルト部材２の両端部の係合手段である面ファスナー４ａ、４ｂを係合させて、図１（ｂ）図示のようにベルト部材２を輪状にするときの周の長さ（ベルト部材２の両端部の係合手段である面ファスナー４ａ、４ｂを係合させてベルト部材２を輪状にしたときの径の大きさ）を調整する自由度が大きくなる。【００１３】  また、本考案の医療用腰枕１においては、図１（ｂ）図示のように、ベルト部材２の両端部の係合手段である面ファスナー４ａ、４ｂを係合させてベルト部材２を輪状にしたときのベルト部材２の中央部側における外周側になる面に、ベルト部材２の長手方向に沿って延びる直方体形状の、ＪＩＳ  Ｋ６４００（１９９７）に従って測定される反発弾性率が２０％以下である低反発弾性クッション材３が取り付けられている。
この低反発弾性クッション材３は、ベルト部材２に固定的に取り付けておくこともできるし、低反発弾性クッション材３におけるベルト部材２に当接する面、ベルト部材２における低反発弾性クッション材３に当接する面に、それぞれ、面ファスナーのような係合手段を配備しておくことにより、ベルト部材２に対して低反発弾性クッション材３を任意に取り付け、取り外し可能にすることもできる。【００１４】  図２は、腰部に本考案の医療用腰枕１を装着している人が、上向きでベッドに横たわっている状態を説明する側面図である。
本考案の医療用腰枕１は、図示のように、人の骨盤の上にある背骨の湾曲部と、ベッドの表面（上面）との間に低反発弾性クッション材３が介装されるようになるものであり、その意味では、頭部とベッドの表面（上面）との間に介装される枕と同様であり、いわば、腰枕と呼べる機能を果たすものである。
腰部に本考案の医療用腰枕１を装着している人が、上向きでベッドに横たわると、図示のように、人の骨盤の上にある背骨の湾曲部と、ベッドの表面（上面）との間に低反発弾性クッション材３が介装される。ここで、低反発弾性クッション材３は、ＪＩＳ  Ｋ６４００（１９９７）に従って測定される反発弾性率が２０％以下であるので、人体の圧力をより均一に分散させ、腰痛などが発生することを効果的に防止できる。
【図面の簡単な説明】
【００１５】
【図１】  （ａ）本考案の医療用腰枕の斜視図、（ｂ）図１（ａ）図示の医療用腰枕のベルト部材両端部の係合手段を係合させてベルト部材を輪状にした状態を説明する斜視図。
【図２】  腰部に本考案の医療用腰枕１を装着している人が、上向きでベッドに横たわっている状態を説明する側面図。
【符号の説明】
１  医療用腰枕
２  ベルト部材
３  低反発弾性クッション材
４ａ  面ファスナー（係合手段）
４ｂ  面ファスナー（係合手段）
【図１】
0003121005.tif 000003
【図２】
0003121005.tif 000004